(57)【特許請求の範囲】
【請求項１】
口栓本体とその口栓本体の下面に配置する封止フィルムとにより構成する口栓であって、前記口栓本体が、環状部と保持突起を上面にもつ板状部とからなる台座板と、この台座板の板状部の前記口栓の中心方向の端部に直線状のハーフカット線を介して連設し、外周に複数個の鋭角突起をもち台座板の環状部の開口部に挿設する押圧タグと、この押圧タグの前記口栓の中心方向の端縁部の上面に支柱を突設し、この支柱の上端に連設して下面を台座板の板状部の保持突起と当接し、この保持突起と前記支柱との間に両側端にわたる直線状のハーフカット線を形成する開封桿とからなり、開封するときに、開封桿の端部を起こし押圧タグを押し下げると、押圧タグと台座板とがハーフカット線で折れ曲がり、押圧タグの外周の複数個の鋭角突起より封止フィルムが破断し、同時に、開封桿がハーフカット線で三角状に折れ曲がり、開封桿の端部が口栓方向に移動して台座板の板状部の保持突起の口栓内側側面に落ち込んで嵌着保持されることを特徴とするプラスチック製のステイオンタグ方式イージーオープン口栓。
【請求項２】
前記口栓本体を容器天板の上面に熱融着して口栓取付孔に取り付け、且つ、前記容器天板の下面に前記封止フィルムを貼着して前記容器天板の口栓取付孔を封止したことを特徴とする請求項１記載のプラスチック製のステイオンタグ方式イージーオープン口栓。
【請求項３】
前記口栓本体の射出成形用金型内に、前もって前記封止フィルムを装填し、前記口栓本体を熱可塑性樹脂で成形と同時に、前記封止フィルムを前記口栓本体の下面に熱融着して一体成形したことを特徴とする請求項１記載のプラスチック製のステイオンタグ方式イージーオープン口栓。
【発明の詳細な説明】
【０００１】
【発明の属する技術分野】
本発明は、飲料容器と使用されるプラスチック容器又は紙を主体とする複合容器の天板に取り付けられるプラスチック製のステイオンタグ方式イージーオープン口栓に関するものである。
【０００２】
【従来の技術】
従来、金属容器の飲料容器の天板には、缶切りなどの助けなく開口できるイージーオープン蓋が便利さから広く使用されていた。また、近年では、容器から切り離されたタブが散乱して危険性があるため、開缶してもタグが容器から分離しないステイオンタグ方式イージーオープン蓋が一般的に使用されている。また、プラスチック容器又は紙を主体とする複合容器にも、この金属製のステイオンタグ方式イージーオープン蓋が使用されていた。
【０００３】
【発明が解決しようとする課題】
しかしながら、近年の容器包装のリサイクル促進の観点から、使用後の容器の分別回収をし易くするために、プラスチック容器又は紙を主体とする複合容器の天板に取り付ける金属製にかわるプラスチック製のステイオンタグ方式イージーオープン口栓の開発が、強く求められるようになってきた。
【０００４】
本発明は、上述の強い開発要求に応えたものであり、プラスチック容器又は紙を主体とする複合容器の天板に取り付けるプラスチック製のステイオンタグ方式イージーオープン口栓を提供するものである。
【０００５】
【課題を解決するための手段】
本発明の第１の発明は、図１（ａ）及び（ｂ）に示すように、口栓本体（１００）とその口栓本体の下面に配置する封止フィルム（２００）とにより構成する口栓であって、前記口栓本体が、環状部と保持突起（１１３）を上面にもつ板状部とからなる台座板（１１０）と、この台座板の板状部の前記口栓の中心方向の端部に直線状のハーフカット線（１１２）を介して連設し、外周に複数個の鋭角突起（１２１，１２１，１２１）をもち台座板の環状部の開口部（１１１）に挿設する押圧タグ（１２０）と、この押圧タグの前記口栓の中心方向の端縁部の上面に支柱（１２２）を突設し、この支柱の上端に連設して下面を台座板の板状部の保持突起と当接し、この保持突起と前記支柱との間に両側端にわたる直線状のハーフカット線（１３１）を形成する開封桿（１３０）とからなり、開封するときに、開封桿の端部を起こし押圧タグを押し下げると、押圧タグと台座板とがハーフカット線（１１２）で折れ曲がり、押圧タグの外周の複数個の鋭角突起（１２１，１２１，１２１）より封止フィルム（２００）が破断し、同時に、開封桿がハーフカット線（１３１）で三角状に折れ曲がり、開封桿の端部が口栓方向に移動して台座板（１１０）の板状部の保持突起（１１３）の口栓内側側面に落ち込んで嵌着保持されることを特徴とするプラスチック製のステイオンタグ方式イージーオープン口栓（１０）である。
【０００６】
次に、本発明の第２の発明は、図１（ｂ）に示すように、前記口栓本体（１００）を容器天板（２０）の上面に熱融着して口栓取付孔に取り付け、且つ、前記容器天板の下面に前記封止フィルム（２００）を貼着して前記容器天板の口栓取付孔を封止したことを特徴とする第１の発明に記載のプラスチック製のステイオンタグ方式イージーオープン口栓（１０）である。
【０００７】
そして、本発明の第３の発明は、前記口栓本体の射出成形用金型内に、前もって前記封止フィルムを装填し、前記口栓本体を熱可塑性樹脂で成形と同時に、図２（ａ）、図３（ａ）及び図４（ａ）に示すように、前記封止フィルム（２００）を前記口栓本体（１００）の下面に熱融着して一体成形したことを特徴とする第１の発明に記載のプラスチック製のステイオンタグ方式イージーオープン口栓（１０）である。
【０００８】
【作用】
本発明のプラスチック製のステイオンタグ方式イージーオープン口栓（１０）を取り付けた図１（ｂ）、図２（ａ）、図３（ａ）又は図４（ａ）に示す容器天板（２０）は、口栓の開封桿（１３０）の端部を人指し指の爪で起こしながら、親指で押圧タグ（１２０）を容器内へ押し込むと、図１（ｃ）、図２（ｂ）、図３（ｂ）又は図４（ｂ）に示すように、押圧タグと台座板（１１０）とがハーフカット線（１１２）で折れ曲がり、押圧タグの外周に設けられた複数個の鋭角突起（１２１，１２１，１２１）が下方に配置する封止フィルム（２００）に接触して、封止フィルムを破り容器が開封する。また、同時に開封桿は、ハーフカット線（１３１）で三角状に折れ曲がり、開封桿の端部が口栓方向に移動する。そして、押圧タグを容器天板に対してほぼ直角に容器内に押し込んだ時点では、開封桿の端部が台座板（１１０）の板状部の保持突起（１１３）の口栓内側側面に落ち込んで嵌着し、押圧タグが容器天板に対してほぼ直角に容器内で保持される。
【０００９】
【発明の実施の形態】
本発明のプラスチック製のステイオンタグ方式イージーオープン口栓（１０）は、図１（ａ）及び（ｂ）に示すように、口栓本体（１００）とその口栓の下面に配置された封止フィルム（２００）とから構成されている。口栓本体は、ポリエチレン、ポリプロピレンなどの熱可塑性樹脂を用い射出成形法により作製したものであり、また、封止フィルムは、通常、積層フィルムで、アルミニウム箔、金属蒸着フィルム、ガスバリヤ性樹脂フィルムなどのバリヤ層の両面に、口栓本体又は容器天板と熱融着する樹脂層を形成したものである。
【００１０】
そして、口栓本体（１００）の構造は、図１（ａ）及び（ｂ）に示すように、環状部と保持突起（１１３）を上面にもつ板状部とからなる台座板（１１０）と、この台座板の板状部の口栓（１０）の中心方向の端部に、直線状のハーフカット線（１１２）を介して連設し、外周に三角錐状の通常３個の複数個の鋭角突起（１２１）をもち台座板の環状部の開口部（１１１）に挿設する押圧タグ（１２０）と、この押圧タグの口栓の中心方向の端縁部の上面に支柱（１２２）を突設し、この支柱の上端に連設して下面を台座板の板状部の保持突起と当接し、この保持突起と支柱との間に両側端にわたる直線状のハーフカット線（１３１）を形成する開封桿（１３０）とからなるものである。なお、ハーフカット線（１１２及び１３１）は  上方よりＶ字状切込みを設けて形成するものであり、また、押圧タグは、親指で押圧し易いように、通常、上面を凹状に形成し、そして、台座板の板状部上面に設ける保持突起の形状は、開封桿の口栓の外側方向の端部の形状に合わせるものである。
【００１１】
そして、口栓本体の下面に封止フィルムを配置して、本発明のステイオンタグ方式イージーオープン口栓を、プラスチック缶や紙を主体とする複合容器などの容器天板の口栓取付孔に取り付ける方法は、例えば、図１（ｂ）に示すように、容器天板（２０）の下面に、封止フィルム（２００）を熱融着や接着剤を用いて貼着して容器天板の口栓取付孔を封止したのち、容器天板の上面に、口栓本体（１００）の台座板（１１０）の周縁部を超音波シール法などで熱融着して、口栓本体を容器天板の口栓取付孔に取り付けるものである。
【００１２】
または、口栓本体の射出成形用金型内に前もって封止フィルムを装填し、口栓本体を熱可塑性樹脂で成形すると同時に、封止フィルムを口栓本体の下面に熱融着して一体成形するいわゆるインサート射出成形法で本発明のステイオンタグ方式イージーオープン口栓を作製し、この口栓（１０）を、図２（ａ）に示すように、容器天部（２０）の上面に、超音波シール法などで封止フィルム（２００）の下面を熱融着して、容器天板の口栓取付孔に取り付けるものである。
【００１３】
または、インサート射出成形法で、口栓本体の台座板の上面周縁部に容器天板との貼着部をもつ本発明のステイオンタグ方式イージーオープン口栓を作製し、この口栓（１０）を、図３（ａ）に示すように、容器天部（２０）の下面に、超音波シール法などで口栓本体（１００）の台座板（１１０）の上面周縁部の貼着部を熱融着して、容器天板の口栓取付孔に取り付けるものである。
【００１４】
さらには、インサート射出成形法で、口栓本体の台座板の下面周縁部の容器天板との貼着部の内側に封止フィルムを熱融着した本発明のステイオンタグ方式イージーオープン口栓を作製し、この口栓（１０）を、図４（ａ）に示すように、容器天部（２０）の上面に、超音波シール法などで口栓本体（１００）の台座板（１１０）の下面周縁部の貼着部を熱融着して、容器天板の口栓取付孔に取り付けるものである。
【００１５】
【発明の効果】
本発明のプラスチック製のステイオンタグ方式イージーオープン口栓を天板に取り付けた容器は、内容物を注出するときに、口栓の開封桿の端部を人指し指の爪で起こしながら、親指で押圧タグを容器内へ押し込むだけで、容器を開封することができ、開封するために他の道具を必要としない。しかも、押圧タグは、容器内に固定保持されて容器から分離しない。
【００１６】
また、本発明の口栓は、プラスチック製であるため、使用後の容器の廃棄時に、分別回収作業がし易い。
【図面の簡単な説明】
【図１】（ａ）は、本発明の一実施例のプラスチック製のステイオンタグ方式イージーオープン口栓を取り付けた容器天板の平面図であり、（ｂ）は、そのＡ−Ａ’線断面図であり、（ｃ）は、口栓を開口したときの状態を示す説明図である。
【図２】（ａ）は、図１とは取り付け方が異なる他の実施例の口栓を取り付けた容器天板の断面図であり、（ｂ）は、その口栓を開口したときの状態を示す説明図である。
【図３】（ａ）は、図１及び図２とは取り付け方が異なる他の実施例の口栓を取り付けた容器天板の断面図であり、（ｂ）は、その口栓を開口したときの状態を示す説明図である。
【図４】（ａ）は、図１、図２及び図３とは取り付け方が異なる他の実施例の口栓を取り付けた容器天板の断面図であり、（ｂ）は、その口栓を開口したときの状態を示す説明図である。
【符号の説明】
１０……口栓
２０……容器天板
１００……口栓本体
１１０……台座板
１１１……開口部
１１２，１３１……ハーフカット線
１１３……保持突起
１２０……押圧タグ
１２１……鋭角突起
１２２……支柱
１３０……開封桿
２００……封止フィルム
【図１】
0003845924.tif 000002
【図２】
0003845924.tif 000003
【図３】
0003845924.tif 000004
【図４】
0003845924.tif 000005